(57)【要約】【課題】映像信号の霞補正が必要であった場合に、補正の度合いに応じて霧や霞等の発生状況をクラス分けして、所定の情報を出力する監視カメラシステムを提供する。【解決手段】監視カメラ装置の設置位置、プリセット位置、及び太陽の位置情報を格納し、黒ピーク値と、ズーム倍率、パン角及びチルト角の情報と、現在の太陽の位置から、霧若しくは霞が発生したか、またはフレアが発生したかを判定し、霧若しくは霞が発生した場合には、当該監視カメラ装置に霞補正する。そして、霞補正の度合いによって、霧や霞の濃度をクラス分けし、クラス分けしたクラスの内容（程度）に応じて、適切な情報を必要な対象に連絡する。【選択図】図１
2014192762.tif 000002
【特許請求の範囲】
【請求項１】
映像を取得し、取得した映像に対してコントラスト強調処理を実施する機能を備えた監視カメラと、
受信した情報を音声または視覚的表示により周囲に通知する通知装置と、
前記監視カメラからの信号に応じて前記通知装置を制御する制御装置と、を備え、
前記監視カメラは、コントラスト強調処理の度合いを示す信号を前記制御装置へ送信し、
前記制御装置は、前記コントラスト強調処理の度合いを示す信号に基づいて、前記通知装置に対する制御が必要か否かを判断し、必要と判断した場合には、コントラスト強調処理の度合いに応じて通知の内容を変更する
ことを特徴とする監視システム。
【請求項２】
霞補正回路、スミア補正回路、及びズーム機構を備えた監視カメラ装置、前記監視カメラ装置のパン角及びチルト角を制御する旋回台、前記旋回台を制御する旋回台制御部、前記監視カメラ装置が撮像した映像を表示するモニタ、並びに、前記監視カメラ装置、前記旋回台、前記旋回台制御部及び前記モニタを制御する制御装置を有する監視カメラシステムにおいて、
前記制御装置は記憶部を備え、前記記憶部に、前記監視カメラ装置の設置位置、前記監視カメラ装置のプリセット位置、及び前記監視カメラを設置した場所の太陽の位置情報を格納し、前記監視カメラ装置から前記霞補正回路若しくはスミア補正回路から出力される黒ピーク値またはズーム倍率と、前記旋回台制御部から出力されるパン角及びチルト角の情報と、前記記憶部から取得する現在の太陽の位置から、前記黒ピーク値が所定の範囲の場合に、霧若しくは霞が発生したか、またはフレアが発生したかを判定し、霧若しくは霞が発生した場合には、当該監視カメラ装置に霞補正するように第１の制御信号を出力し、かつ、出力端子に接続した外部機器に警報または警告を出力することを特徴とする監視システム。
【請求項３】
請求項１または請求項２記載の監視カメラシステムにおいて、前記黒レベル値の範囲を複数のクラスに分け、前記複数のクラス毎に、異なる警報または警告を出力することを特徴とする監視システム。
【請求項４】
請求項１乃至請求項３のいずれかに記載の監視カメラシステムにおいて、前記監視カメラのズーム倍率によって、前記複数のクラス毎に出力する警報または警告を変更することを特徴とする監視システム。
【発明の詳細な説明】
【技術分野】
【０００１】
本発明は、監視カメラを用いたシステムに関わり、特に、監視カメラ装置の霧、もや、霞等の補正に関する。
【背景技術】
【０００２】
霧、霞等の影響により、白っぽく映し出される映像のコントラストを補正する霞補正機能備える監視カメラ装置が従来から実用化されている。
一方、ＣＣＤ（Charge Coupled Device）を撮像素子として使用したカメラ装置では、太陽光等、周囲より極端に明るい被写体からの光が入射した際に、垂直方向若しくは水平方向に直線状に画像の端から端まで白飛びを起こす現象（スミア）がある。
【０００３】
霞補正機能は、霧、霞等の影響により白っぽく映し出される映像のコントラストを補正し、物体の色情報を強調表示する処理として使用されている。また、蓄積機能は、シャッタースピードを変更（遅く）し、入光量を増やすことにより、夜間など低照度環境下でもある程度の映像レベルを得るための処理として使用されている（特許文献１または特許文献２参照。）。また、回路的には、ＤＳＰ（Digital Signal Processor）で黒レベルを下げて低照度部分を持ち上げる処理を行うこともある。
特許文献１には、ＣＣＤカメラによって取得した映像信号から、最低レベルが基準値を超えたレベルの補正信号を生成し、該補正信号を映像信号から減算することでコントラスト強調（霞補正）することが記載されている。
特許文献２には、入力画像のヒストグラムの幅を算出し、この度合いによって撮像した画像が物体検出に適応した画像であるかを判断することが記載されている。
【０００４】
一方、スミアを補正する方法としては、例えば、光が強いときに、機械的シャッターを採用して、シャッター開放時間を少なくするようにしている。
また、特許文献３では、固体撮像素子の受光面の有効画素より先に読み出す４ラインの垂直遮光画素から取得した信号の画面垂直方向の暗電流むらを補正してから、垂直遮光画像４ラインの各垂直画素信号の最小値から２番目の値を算出し、垂直スミア補正信号として記憶し、画像ＡＧＣに合わせて利得を可変して固体撮像素子の受光面の有効画素から出力されるＡＧＣ後の画像信号から減算している。また、前記固体撮像素子から出力される信号を１４ビットにＡ／Ｄ変換して前記代表値信号を算出して１５／１６に減衰して、前記固体撮像素子の受光面の有効画素から出力される画像信号から減算して、スミア補正している。
これらの処理は、いずれも、モニタに表示する映像の視認性を向上させるための映像処理技術として、一般的に用いられている機能である。
【先行技術文献】
【特許文献】
【０００５】
【特許文献１】特開２００４−２８９２７６号公報
【特許文献２】特開２０１２−１２４６５９号公報
【特許文献３】特開２００８−１０９６３９号公報
【発明の概要】
【発明が解決しようとする課題】
【０００６】
上述のように、監視カメラシステムに使用される監視カメラでは、従来、映像信号に応じて霞補正を行うことができる。しかし、霞による視界不良の情報は現状別の霞センサなどから取得しており、監視カメラによる霞補正の情報が有効活用されていなかった。
本発明の目的は、上記の問題に鑑み、映像信号に霞補正をする場合に、補正の度合いに応じて霧や霞等の発生状況をクラス分けして、所定の情報を出力する監視カメラシステムを提供することにある。
【課題を解決するための手段】
【０００７】
上記の目的を達成するために、本発明の監視カメラシステムは、映像を取得し、取得した映像に対してコントラスト強調処理を実施する機能を備えた監視カメラと、受信した情報を音声または視覚的表示により周囲に通知する通知装置と、前記監視カメラからの信号に応じて前記通知装置を制御する制御装置と、を備え、前記監視カメラは、コントラスト強調処理の度合いを示す信号を前記制御装置へ送信し、前記制御装置は、前記コントラスト強調処理の度合いを示す信号に基づいて、前記通知装置に対する制御が必要か否かを判断し、必要と判断した場合には、コントラスト強調処理の度合いに応じて通知の内容を変更することを本発明の第１の特徴とする。
【０００８】
また、上記の目的を達成するために、本発明の監視カメラシステムは、霞補正回路、スミア補正回路、及びズーム機構を備えた監視カメラ装置、前記監視カメラ装置のパン角及びチルト角を制御する旋回台、前記旋回台を制御する旋回台制御部、前記監視カメラ装置が撮像した映像を表示するモニタ、並びに、前記監視カメラ装置、前記旋回台、前記旋回台制御部及び前記モニタを制御する制御装置を有する監視カメラシステムにおいて、前記制御装置は記憶部を備え、前記記憶部に、前記監視カメラ装置の設置位置、前記監視カメラ装置のプリセット位置、及び前記監視カメラを設置した場所の太陽の位置情報を格納し、前記監視カメラ装置から前記霞補正回路若しくはスミア補正回路から出力される黒ピーク値またはズーム倍率と、前記旋回台制御部から出力されるパン角及びチルト角の情報と、前記記憶部から取得する現在の太陽の位置から、前記黒ピーク値が所定の範囲の場合に、霧若しくは霞が発生したか、またはフレアが発生したかを判定し、霧若しくは霞が発生した場合には、当該監視カメラ装置に霞補正するように第１の制御信号を出力し、かつ、出力端子に接続した外部機器に警報または警告を出力することを本発明の第２の特徴とする。
【０００９】
上記本発明の第１の特徴または第２の特徴の監視カメラシステムにおいて、前記黒ラベル値の範囲を複数のクラスに分け、前記複数のクラス毎に、異なる警報または警告を出力することを本発明の第３の特徴とする。
【００１０】
上記本発明の第１の特徴乃至第３の特徴のいずれかの監視カメラシステムにおいて、前記監視カメラのズーム倍率によって、前記複数のクラス毎に出力する警報または警告を変更することを本発明の第４の特徴とする。
【発明の効果】
【００１１】
本発明によれば、映像信号に霞補正をする場合に、補正の度合いに応じて霧や霞等の発生状況をクラス分けして、所定の情報を出力する監視カメラシステムを実現することができる。
【図面の簡単な説明】
【００１２】
【図１】本発明の監視カメラシステムの一実施例の構成を示すブロック図である。
【図２】本発明の監視カメラシステムに使用する監視カメラの一実施例の構成を示すブロック図である。
【図３】本発明の監視カメラシステムの一実施例の構成を示すブロック図である。
【図４】プリセット位置の一例における、ズーム倍率、パン角、及びチルト角について格納したテーブルを示した図である。
【図５】本発明の黒ピーク値と視界不良レベルの対応を示す図の一例である。
【発明を実施するための形態】
【００１３】
以下に本発明の一実施形態について、図面等を用いて説明する。
なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
また、各図の説明において、共通な機能を有する構成要素には同一の参照番号を付し、説明を省略する。
【実施例１】
【００１４】
図１と後述の図２によって、本発明の第１の実施形態について説明する。図１は、監視視野範囲内を監視する本発明の監視カメラシステムの一実施例の構成を示すブロック図である。
図１の監視カメラシステム１０は、１台の旋回台１４付きの監視カメラ装置１１、モニタ１７、プリセット制御部１５、制御装置１６、操作器１８、及び外部機器への出力部１９で構成される。ただし、各機器の数は、図１に限定されない。例えば、監視カメラ装置１１及びプリセット制御部１５は、複数台がそれぞれ複数の要所に設置されるのが一般的である。
図１において、監視視野範囲内には、複数の監視ポイントがあり、監視カメラ装置１１は、パン及びチルト可能な旋回台１４に設置され、かつ、レンズ１２のズーム機能を可変するズーム機構１３を備える。
なお、各機器は、設置されたそれぞれの場所において、商用電源やバッテリー等の図示しない電源供給部から電力を供給されて稼働する。
【００１５】
図１において、監視カメラ装置１１は、レンズ１２とズーム機構１３を備え、ＣＰＵ（後述する図２のＣＰＵ２６参照）によって、所定のプログラムに従って制御される。監視カメラ１１は、画角範囲を撮像して、所定の時間周期で撮像した画像を映像信号ｖとして、モニタ１７及び制御装置１６に出力する。映像信号ｖは、例えば、光ケーブル、カメラリンク等の方式によって接続され、それら接続形式に応じた形態の信号に変換され伝送され、受信側で再変換される。
モニタ１７は、受信した映像信号ｖを画像に変換して表示部に表示する。
制御装置１６は、受信した映像信号ｖを解析し、解析結果に応じて、システム内の各機器に制御信号を出力して、各機器を制御する。
【００１６】
また、制御装置１６は、設定されたプリセットプログラムに従って、監視カメラ装置１１及びプリセット制御部１５を制御して、監視カメラ装置１１が撮像する画角を変化させる。例えば、監視カメラ装置１１のズーム量並びに旋回台１１４のパン角及びチルト角によって定められるプリセット位置、そして、それぞれのプリセット位置（画角範囲）での撮影時間が、Ｐ１〜Ｐ５まで設定されているとする。例えば、監視カメラ装置１１のプリセット位置が、Ｐ１、Ｐ２、Ｐ３、Ｐ４、Ｐ５、Ｐ４、Ｐ２の順に設定され、それぞれの位置での停止時間が、５［ｍｉｎ］、３［ｍｉｎ］、１０［ｍｉｎ］、２［ｍｉｎ］、１０［ｍｉｎ］、２［ｍｉｎ］、５［ｍｉｎ］である場合、プリセット位置Ｐ１から始まって、２回目のプリセット位置Ｐ２まで、移動時間を入れずに３７［ｍｉｎ］後に、元のプリセット位置Ｐ１から、再度監視が始まるように設定される。
図４は、上記のプリセット位置における、ズーム倍率、パン角、及びチルト角について格納したテーブルを示した図である。
制御装置１６は、映像記憶装置２０に、取得した映像信号のデータ（画像データ）を保存し、必要な時に読み出して参照する。
なお、プリセット位置の設定は、モニタ１７に表示される監視カメラ装置の取得画像を見ながら、操作者が操作器１８を使って設定し、設定された内容が制御装置１６の図示しない記憶部に記憶される。
【００１７】
プリセット制御部１５は、制御装置１６から入力される制御信号を受信して、当該制御信号に従って、旋回台１３を制御し、監視カメラ装置１１のパン角及びチルト角を変更する。また、プリセット制御部１５は、旋回台１３の旋回結果を監視し、監視カメラ装置１１の現在のパン角及びチルト角のデータを制御装置１６に出力する。
監視カメラ装置１１のＣＰＵは、制御装置１６から入力される制御信号を受信して、当該制御信号に従って、ズーム機構１３を制御し、監視カメラ装置１１のズーム量角を変更する。また、プリセット制御部１５は、ズーム機構１３のズーム結果を監視し、監視カメラ装置１１の現在のズーム量のデータを制御装置１６に出力する。
【００１８】
図２は、本発明の監視カメラシステムに使用する監視カメラの一実施例の構成を示すブロック図である。
図２において、レンズ１２で撮像された被写体からの光は、色分解プリズム２１で赤色（Ｒ）光、緑色（Ｇ）光、青色（Ｂ）光の３色光に分光された上で、夫々の撮像素子２２Ｒ、２２Ｇ及び２２Ｂに入射され、Ｒ、Ｇ、Ｂの各映像信号に変換される。
次いで、これらＲ、Ｇ、Ｂの各映像信号は、増幅器２３により所定のレベルに増幅されてからＡ／Ｄ変換器２４に入力され、ここでデジタル映像信号に変換された上でデジタル信号処理回路２５に入力される。
そして、このデジタル信号処理回路２５で、Ｒ、Ｇ、Ｂのデジタル映像信号毎にブラックバランス、ホワイトバランス、γ補正（ガンマ補正）、黒レベル設定などの信号処理が施されてから、映像信号ｖとして外部に出力される。このとき、信号処理回路２５から出力された映像信号は、Ｒ、Ｇ、Ｂのデジタル映像信号毎にＣＰＵ２６にも供給される。
また、ＣＰＵ２６は、監視カメラシステム１０の制御装置１６から送られてきた制御信号ｃ１に応じて、ズーム機構１３を制御して、所望のズーム量に調整する。
【００１９】
このＣＰＵ２６が、スミア補正や霞補正の補正量を算出し、算出された補正値による補正制御信号がデジタル信号処理回路２５に出力されることによって、スミア補正や霞補正が行われ、補正された映像信号が、映像信号ｖとして外部に出力される。
霧や靄等の発生したことが検知された場合には、霞補正を行い、フレア（太陽などの強い光源の周辺に生じる白滲み）が検知された場合にはスミア補正を行う。
【００２０】
例えば、霞補正を行う場合には、ＣＰＵ２６は、デジタル信号処理回路２５から入力されたＲ、Ｇ、Ｂの各映像信号から、デジタル映像信号成分の中で映像の明るさが最低になる部分のレベルを黒ピーク値ＰＫとして検出する。このとき、Ｒ、Ｇ、Ｂの各デジタル映像信号の各々から黒ピーク値を個別に検出した後、最大ピーク値を示す値を黒ピーク値ＰＫとしても良く、全部を加算した信号から最大ピーク値を検出して黒ピーク値ＰＫとしても良い。
そしてＣＰＵ２６は、リアルタイムオートブラックと名付けたプログラムを備え、これにより、黒ピーク値ＰＫの入力に応じて処理を実行し、これにより黒レベル制御信号ＭＢｎを生成し、デジタル信号処理回路２５に出力する。ここで、ＭＢとは、Ｍａｓｔｅｒ Ｂｌａｃｋの略称であり、添字の（ｎ）は、このＭＢが次々と更新されるべき値であって、その順序を表わす。
デジタル信号処理回路２５は、ＣＰＵ２６から供給される黒レベル制御信号ＭＢｎに基づいて、Ｒ、Ｇ、Ｂの各デジタル映像信号の黒レベルを設定するのである。
この結果、映像信号ｖは、所定分だけ黒ピーク値が下げられてから、デジタル信号処理回路２５から出力されるようになる。即ち、コントラストが高くなり、暗い部分の画像が鮮明に表示できる。
【００２１】
さて、霞補正やスミア補正等のコントラスト強調処理を行うためには、霧や靄等の発生、若しくはフレアの発生を検知しなければならない。
例えば、制御装置１６は、所定時間毎に各プリセット位置での代表画面を映像記憶装置２０に記憶しておき、同一のプリセット位置において、当該画面と現在取得した映像信号の画像とを比較する。
そして、比較の結果、強く白浮きすれば、霧とみなして、（１）出力部１９から出力して出力部１９に接続された外部機器（例えば、警報発生器等の通知装置）から警報を出力させるか、（２）モニタ１７に警告を表示させるかの少なくともいずれかの通知を行う。
また、比較の結果、遠景部分のみ白浮きすれば、靄とみなして、（１）出力部１９から出力して出力部１９に接続された警報発生器から警報を出力させるか、（２）モニタ１７に警告を表示させるかの少なくともいずれかを行う。
なお、記憶装置は、各監視カメラ装置それぞれに備えさせて、それぞれのＣＰＵ２６が、検知を行い、制御装置１６を介してまたは直接外部機器に警報を出力するか、モニタ１７に警告を表示させるようにしても良い。
【００２２】
いずれにしても、警報またはモニタ１７の表示によって、監視員が気づく必要がある。なぜなら、画面の異常を制御装置１６が検知しても、監視員がモニタ１７の画像を見なければ、霧や靄等の発生であるか、フレアの発生であるかを識別できないからである。また、熟練していない監視員では、識別できないか間違える恐れもある。
【００２３】
そこで、さらに本発明では、制御装置１６は、監視カメラ装置１１の設置位置における太陽の位置情報を読出す手段を有する。例えば、制御装置１６は、映像記憶装置２０または図示しない記憶部を有し、その中に太陽の位置情報を格納しておく。そして、制御装置１６は、必要な時刻の太陽の位置を取得することができる。
またさらに、本発明では、監視カメラ装置１１は、霞補正位置及びズーム位置と、ＡＧＣ値等のカメラ処理情報を制御装置１６に出力する。
制御装置１６は、当該監視カメラ装置１１の現在のプリセット位置情報（ズーム量、並びにパン角及びチルト角の情報）と、現在の太陽の位置から、現在の画角範囲に太陽光が影響しないか否かを判定する。例えば、太陽光が監視カメラ装置に入射する位置であるか否かを判定し、入射する位置にある場合には、フレアが発生したと判定する。また、例えば、太陽光が監視カメラ装置に入射する位置にない場合には、霧や靄が発生したと判定する。
【００２４】
さらに好ましくは、上述の黒ピーク値ＰＫの値を複数のクラスに分ける。例えば、濃い順に５クラスに分ける。そして、黒ピーク値ＰＫがＰＫ１以上の時には濃度を“最大”とし、黒ピーク値ＰＫがＰＫ１未満ＰＫ２以上の時には濃度を“やや大”とし、黒ピーク値ＰＫがＰＫ２未満ＰＫ３以上の時には濃度を“中”とし、黒ピーク値ＰＫがＰＫ３未満ＰＫ４以上の時には濃度を“小”とし、黒ピーク値ＰＫがＰＫ４未満の時には濃度を“なし”とする。
制御装置１６は、クラス分けされたそれぞれの黒ピーク値の範囲について、制御装置１６は、映像記憶装置２０または図示しない記憶部に格納しておき、それぞれのクラスに応じて、警報を出力部１９に接続された外部機器（例えば、警報発生器）から警報を出力させる。また、モニタ１７に警告を表示させる。
モニタ１７には、黒ピーク値ＰＫ１以上の時には“霧最大”と表示させ、黒ピーク値ＰＫ１未満ＰＫ２以上の時には“霧やや大”と表示させ、黒ピーク値ＰＫがＰＫ２未満ＰＫ３以上の時には“霧中”と表示させ、黒ピーク値ＰＫがＰＫ３未満ＰＫ４以上の時には“霧小”と表示させ、黒ピーク値ＰＫがＰＫ４未満の時には“霧なし”と表示させる。なお、黒ピーク値ＰＫがＰＫ４未満の時には、外部機器による警報出力も、モニタによる警告表示もしないことにしても良い。
霧や靄の情報は、陸上や水上で基準が異なる上、場所（道路、畑、登山道、門や敷地内の侵入者監視、等）によっても異なり、従って、クラス分けの数や値は、それぞれ異なる。
【００２５】
実施例１によれば、映像信号の補正をする場合に、霞補正するべきかスミア補正するべきかを自動的に判断して補正する監視カメラシステムを実現することができる。また、霞補正が必要であった場合に、補正の度合いに応じて霧や霞等の発生状況をクラス分けして、所定の情報を出力する監視カメラシステムを実現することができる。
【実施例２】
【００２６】
図２と図３によって、本発明の第２の実施形態について説明する。図３は、本発明の監視カメラシステムの一実施例の構成を示すブロック図である。
図３の監視カメラシステム１０’は、矢印方向に走行する道路（車道）３１の道路脇に設置され、車両の進行方向の監視エリア（監視視野範囲）３２を撮像する１台の旋回台１４付きの監視カメラ装置１１、及び監視カメラ装置１１の近傍に設置され、旋回台１４を制御する旋回台制御部１５’、遠隔地若しくは所望の地点に設置された監視センタ３０、及び、監視エリア３２より後方の道路３１の道路脇若しくは道路の上方に設置され車両（移動体）３３に乗車した運転者若しくは同乗者が見ることができる交通情報表示板３４で構成される。
監視カメラ１１は、図２の構成と同様である。ただし、監視カメラ１１は、監視センタ３０とネットワーク回線で接続されている場合には、Ｗｅｂカメラ装置（またはＷｅｂエンコーダ部を含むカメラ装置）であり、監視センタ３０は、デコーダ部を含む。
ただし、図１と同様に、監視カメラシステム１０’を構成する各機器の数は、図３に限定されない。例えば、監視カメラ装置１１及び旋回台制御部１５’は、複数台がそれぞれ複数の要所に設置されるのが一般的である。
【００２７】
監視センタ３０は、図１の監視カメラシステム１０から監視カメラ装置１１及び旋回台制御部１５’を除いてほぼ同じ構成である。即ち、監視センタ３０は、モニタ１７、旋回台制御部１５’、制御装置１６、操作器１８、及び外部機器への出力部１９で構成される。また、出力部１９は、少なくとも、交通情報表示板３４に接続されている。
図３において、監視エリア３２内には、複数の監視ポイントがあり、監視カメラ装置１１は、パン及びチルト可能な旋回台１４に設置され、かつ、レンズ１２のズーム機能を可変するズーム機構１３を備える。
また、図３において、監視エリア３２を固定（パン角、チルト角及びズーム倍率が固定）の場合もある。この場合には、旋回台１４及び旋回台制御部１５’も不要であり、旋回台制御部１５’と監視センタ３０の制御装置１６と接続する信号線も不要である。複数の監視カメラ装置を有する監視カメラシステムの場合には、これら旋回台付きの監視カメラ装置と旋回台の無い監視カメラ装置とが混在する場合もあり、場合によっては、旋回台の無い監視カメラ装置だけで構成される場合もある。
なお、各機器は、設置されたそれぞれの場所において、商用電源やバッテリー等の図示しない電源供給部から電力を供給されて稼働する。
【００２８】
さて、図３において、監視カメラ装置１１は、レンズ１２とズーム機構１３を備え、ＣＰＵ２６によって、所定のプログラムに従って制御される。監視カメラ１１は、画角範囲を撮像して、所定の時間周期で撮像した画像を映像信号ｖとして、監視センタ３０に出力する。映像信号ｖは、例えば、光ケーブル、カメラリンク等の方式によって接続され、それら接続形式に応じた形態の信号に変換され伝送され、受信側で再変換される。
監視センタ３０のモニタ１７は、受信した映像信号ｖを画像に変換して表示部に表示する。また、監視センタ３０の制御装置１６は、受信した映像信号ｖを解析し、解析結果に応じて、システム内の各機器に制御信号を出力して、各機器を制御する。
【００２９】
また、制御装置１６は、旋回台１４を備える監視カメラ装置の場合には、所定のプリセットプログラムに従って監視カメラ装置１１及びプリセット制御部１５を制御する（図１と同様であるので説明を省略する）。
また制御装置１６は、映像記憶装置２０に、取得した映像信号のデータ（画像データ）を保存し、必要な時に読み出して参照する。
【００３０】
さて、実施例１で説明したように、監視センタ３０内の制御装置１６は、画面の異常（コントラスト低下及び白浮き等の、霞補正やスミア補正が必要な状態）が検知された場合に、実施例１で説明したように、コントラスト強調等の画像処理を行う。即ち、その時刻の太陽の位置情報を取得し、当該監視カメラ装置１１の画角内に太陽光が写り込むか否かを判定し、太陽光が写り込まない場合に、霞補正要と判定し、霞補正を行う。かつ、制御装置１６は、当該監視カメラ装置１１と関連して予め登録された交通情報表示板３４に制御信号ｃ３を送信する。
制御信号ｃ３を受信した交通情報表示板３４は、制御信号ｃ３の内容に応じて表示部に警報を表示する。
付近を走行中の車両３３に乗車している運転者若しくは同乗者は、この情報を見て今後の対応を考える。また、その情報が、徐行などの運転指示の場合には、その指示に従って、車両３３を操縦する。
【００３１】
例えば、実施例１と同様のクラス分けで表示する場合に、例えば、黒ピーク値ＰＫ１以上の時にはレベル（１）“３００［ｍ］後濃霧発生、１００［ｍ］以内に運転停止”の指示を表示させ、黒ピーク値ＰＫ１未満ＰＫ２以上の時にはレベル（２）“３００［ｍ］後濃霧発生、制限速度２０［ｋｍ／ｈ］”と表示させ、黒ピーク値ＰＫがＰＫ２未満ＰＫ３以上の時にはレベル（３）“３００［ｍ］後霧発生中、制限速度３０［ｋｍ／ｈ］”と表示させ、黒ピーク値ＰＫがＰＫ３未満ＰＫ４以上の時にはレベル（４）“３００［ｍ］後霧発生あり、注意”と表示させ、黒ピーク値ＰＫがＰＫ４未満の時には“霧発生なし”と表示させる。なお、距離や制限速度規制の値は、道路や周囲の環境によって適宜変更して良い。
【００３２】
上記実施例２によれば、道路を走行する車両に対して交通情報を表示する交通表示板を道路近辺に設置した監視カメラシステムにおいて、霧や靄の発生に適切に対処できる交通監視カメラシステムを提供することができる。
なお、上記実施例のように、クラス分けして、細かく交通規制する他、クラス分けを２つ程度にして、黒ピーク値ＰＫ３未満ＰＫ４以上の時には“視界不良、運転注意”等の注意情報を表示するようにしても良い。
また、これらを交通情報表示板３４に表示させるだけではなく、監視センタ３０では、制御装置１６は、警報を外部機器に出力し、モニタ１７に発生箇所（または、その映像を取得した監視カメラ装置の位置）情報の表示、クラス分け、表示させた交通情報表示板３４の位置情報を表示するようにしても良い。
その結果、監視員は、警戒が必要な道路の交通量を別の監視カメラ装置の映像で確認する等、必要な処置を迅速に行うことができる。
【実施例３】
【００３３】
実施例１及び実施例２では、監視カメラ装置の状態に関わらず、所定のクラス分けをして、警報出力または警告表示を行った。しかし、実際には、監視カメラ装置が広角であるか否かで視界状況が変わってくる。
そのため、本実施形態では、実施例１または実施例２に、さらに追加したカメラの状態情報として、制御装置１６が、さらに、監視カメラ装置１１の映像を取得した時のズーム倍率を考慮するようにした。
即ち、制御装置１６の映像記憶装置２０または記憶部２０には、ズーム倍率の値によって複数のクラス分けに対する対応表を格納して、ズーム倍率の値と黒ピーク値ＰＫの値に応じて、警報出力または警告表示を行うようにしたものである。
例えば、ズーム倍率が小さい広角時には、実施例１または実施例２のクラス分けの対応に従うか、さらに条件を緩やかにする。また、ズーム倍率が大きい望遠時には、実施例１または実施例２のクラス分けの対応よりさらに条件を厳しくする。
以下の例は、実施例２での対応である。
【００３４】
例えば、広角時には、黒ピーク値ＰＫ１以上の時にはレベル（３）“３００［ｍ］後霧発生中、制限速度５０［ｋｍ／ｈ］”と表示させ、黒ピーク値ＰＫがＰＫ１未満ＰＫ２以上の時にはレベル（４）“３００［ｍ］後霧発生中、制限速度５０［ｋｍ／ｈ］”と表示させ、黒ピーク値ＰＫがＰＫ２未満ＰＫ３以上の時には“３００［ｍ］後霧発生あり、注意”と表示させ、黒ピーク値ＰＫがＰＫ３未満の時には“なし”と表示させる。レベル（４）“３００［ｍ］後霧発生あり、注意”と表示させる。
【００３５】
そして、例えば、望遠時には、黒ピーク値ＰＫ３以上の時にはレベル（３）“３００［ｍ］後濃霧発生、１００［ｍ］以内に運転停止”の指示を表示させ、黒ピーク値ＰＫ３未満ＰＫ４以上の時にはレベル（４）“３００［ｍ］後濃霧発生、制限速度２０［ｋｍ／ｈ］”と表示させ、黒ピーク値ＰＫがＰＫ４未満の時にはレベル（５）“３００［ｍ］後霧発生中、制限速度３０［ｋｍ／ｈ］”と表示させる。
【００３６】
実施例３によれば、ズーム倍率の値によって、霧や靄の発生の重要性に区別できるため、実施例１及び実施例２の効果に加え、さらに信頼性の高い警報出力及び警告表示が可能となる。この結果、信頼性の高い監視カメラシステムを提供することができる。
なお、本発明は、霧や霞の発生に対応する他、霧や霞の発生によく似た現象、例えば、スモッグや噴煙等他の発生等、他の気象現象にも適応できることは言うまでもない。
【００３７】
図５に、黒ピーク値範囲に対応する実施例１〜実施例３の対応を簡単な表にした図を示す。
実施例１〜実施例３によれば、スミア補正が必要か、霞補正が必要かを自動的に判定し、判定に従って補正し、明瞭な画像を監視員に提供できる。また、霧や霞の発生に応じて警報や警告表示ができるため、監視員は迅速に対応できる。
さらに、黒ピーク値範囲によって、霧や霞の濃度をクラス分けし、クラス分けしたクラスの内容（程度）に応じて、適切な情報を必要な対象に連絡することができる。この結果、信頼性の高い監視が実現できる。
【符号の説明】
【００３８】
１０、１０’：監視カメラシステム、  １１：監視カメラ装置、  １２：レンズ、  １３：ズーム機構、  １４：旋回台、  １５：プリセット制御部、  １５’：旋回台制御部、  １６：制御装置、  １７：モニタ、  １８：操作器、  １９：出力部、  ２０：映像記憶装置、  ２１：色分解プリズム、  ２２Ｒ、２２Ｇ、２２Ｂ：撮像素子、  ２３増幅器、  ２４：Ａ／Ｄ変換器、  ２５：デジタル信号処理回路、  ２６：ＣＰＵ、  ３０：監視センタ、  ３１：道路、  ３２：監視エリア（監視視野範囲）、  ３３：車両（移動体）、  ３４：交通情報表示板。
【図１】
2014192762.tif 000003
【図２】
2014192762.tif 000004
【図３】
2014192762.tif 000005
【図４】
2014192762.tif 000006
【図５】
2014192762.tif 000007